(57)【要約】  統合資産保全性管理システムは、対応する複数の資産に関連付けられる複数の資産情報識別子と、複数の資産情報識別子を読み取る読取デバイスを備える移動体通信デバイスと、移動体通信デバイスと電子通信を行うサーバと、を備える。サーバは、資産情報識別子に対応する追跡システム・データを含む追跡システム・データベースと、資産の実績に関係するデータを含む実績データベースを有するデータベース構造と、を含む。移動体通信デバイスは、資産情報識別子から読み取られた資産情報をサーバに送信する。電子プロセッサは、読み取られた資産情報識別子に対応する資産を特定し、データベース構造内のデータに基づいて、読み取られた資産情報識別子に対応する何れの資産の資産保全性問題を判断する。出力デバイスは、判断された保全性問題に関連付けられる指標を出力する。フレーミング・アルゴリズムは、複数の資産を含む位置での保全性問題に絞り込むためにドリル・ダウン技術を使用する。【選択図】  図１
2018520416.tif 000002
【特許請求の範囲】
【請求項１】
統合資産保全性管理システム（ＩＡＩＭＳ）であって、
対応する複数の資産に関連付けられる複数の資産情報識別子と、
前記複数の資産情報識別子を読み取る読取デバイスを備える移動体通信デバイスと、
前記移動体通信デバイスと電子通信を行うサーバであって、前記資産情報識別子に対応する追跡システム・データを含む追跡システム・データベース、および前記資産の実績に関係するデータを含む実績データベースを有するデータベース構造を含む、サーバとを備え、前記移動体通信デバイスが、資産情報識別子から読み取られた資産情報を前記サーバに送信するように構成され、当該ＩＡＩＭＳが、
前記読み取られた資産情報識別子に対応する資産を特定し、前記データベース構造内のデータに基づいて、前記読み取られた資産情報識別子に対応する何れの前記資産の資産保全性問題を判断するように構成される電子プロセッサと、
前記判断された保全性問題に関連付けられる指標を出力するように構成される出力デバイスと、を備える、ＩＡＩＭＳ。
【請求項２】
請求項１記載のＩＡＩＭＳにおいて、
前記資産情報識別子の各々が、資産に添付されるコード化されたタグを備え、
前記読取デバイスが、前記コード化されたタグを読み取るように構成されるスキャナを備える、ＩＡＩＭＳ。
【請求項３】
請求項２記載のＩＡＩＭＳにおいて、前記読取デバイスが、近距離通信を使用して、前記コード化されたタグを読み取る、ＩＡＩＭＳ。
【請求項４】
請求項１記載のＩＡＩＭＳにおいて、
前記資産情報識別子の各々が、資産に添付される認識指標を含み、
前記読取デバイスが撮像デバイスを備え、前記認識指標に関連付けられた資産を特定するために、前記認識指標の画像をキャプチャするように構成される、ＩＡＩＭＳ。
【請求項５】
請求項１記載のＩＡＩＭＳにおいて、
前記読取デバイスが、資産の画像をキャプチャするように構成され、
前記電子プロセッサが、前記キャプチャされた画像に関連付けられた前記資産を特定するために、物体認識を実行するように構成される、ＩＡＩＭＳ。
【請求項６】
請求項１から５の何れか一項記載のＩＡＩＭＳにおいて、
前記移動体通信デバイスが、更に、該移動体通信デバイスの位置に関する位置データを発生する位置デバイスを備え、
前記移動体通信デバイスが、前記位置データを前記サーバに送信するように構成され、
前記電子プロセッサが、前記位置データに少なくとも部分的に基づいて、前記読み取られた資産情報識別子に対応する資産を特定する、ＩＡＩＭＳ。
【請求項７】
請求項１から６の何れか一項記載のＩＡＩＭＳにおいて、
前記電子プロセッサが、前記移動体通信デバイス内に配置され、
前記サーバが、前記読み取られた資産情報識別子に対応する資産についての前記データベース構造からのデータを前記移動体通信デバイスに送信するように構成される、ＩＡＩＭＳ。
【請求項８】
請求項１から６の何れか一項記載のＩＡＩＭＳにおいて、
前記電子プロセッサが、前記サーバ内に配置され、
前記サーバが、前記判断された保全性問題についての情報を前記移動体通信デバイスに送信するように構成される、ＩＡＩＭＳ。
【請求項９】
請求項１から８の何れか一項記載のＩＡＩＭＳにおいて、
前記出力デバイスが、前記移動体通信デバイスのディスプレイを備え、
前記指標が、前記ディスプレイ上に表示される視覚指標を含む、ＩＡＩＭＳ。
【請求項１０】
請求項９記載のＩＡＩＭＳにおいて、
前記出力デバイスが、更に、前記移動体通信デバイスのスピーカを備え、
前記指標が、更に、前記スピーカによって出力される音声指標を含む、ＩＡＩＭＳ。
【請求項１１】
請求項９または１０記載のＩＡＩＭＳにおいて、
前記出力デバイスが、更に、前記移動体通信デバイスの触覚インジケータを含み、
前記指標が、更に、前記触覚インジケータによって出力される触覚フィードバックを含む、ＩＡＩＭＳ。
【請求項１２】
請求項１から１１の何れか一項記載のＩＡＩＭＳであって、更に、前記読み取られた資産情報識別子に対応する前記資産に関係する実績パラメータを感知する少なくとも１つのセンサを備え、
前記実績データが、前記少なくとも１つのセンサによって収集されるセンサ・データを含む、ＩＡＩＭＳ。
【請求項１３】
請求項１２記載のＩＡＩＭＳにおいて、前記少なくとも１つのセンサが、対応する資産についての１つ以上の動作パラメータを感知する装置センサを含む、ＩＡＩＭＳ。
【請求項１４】
請求項１３記載のＩＡＩＭＳにおいて、前記１つ以上の動作パラメータが、気圧、温度、水分レベル、サイクル時間、オン・オフ時間、物理的摩耗、液体汚染または劣化、および実績評価基準の内少なくとも１つを含む、ＩＡＩＭＳ。
【請求項１５】
請求項１２から１４の何れか一項記載のＩＡＩＭＳにおいて、前記少なくとも１つのセンサが、前記読み取られた資産情報識別子に対応する前記資産の位置における環境状態を感知する位置センサを含む、ＩＡＩＭＳ。
【請求項１６】
請求項１２から１５の何れか一項記載のＩＡＩＭＳにおいて、前記センサ・データが前記サーバに送信され、前記実績データベースに格納される、ＩＡＩＭＳ。
【請求項１７】
請求項１２から１６の何れか一項記載のＩＡＩＭＳであって、更に、前記移動体通信デバイスと無線通信を行う中央通信コントローラを備え、前記センサ・データが前記中央通信コントローラに送信され、センサ・データベースに格納される、ＩＡＩＭＳ。
【請求項１８】
前記実績データベースが老朽化データベースを含む、請求項１から１７の何れか一項記載のＩＡＩＭＳ。
【請求項１９】
請求項１から１８の何れか一項記載のＩＡＩＭＳにおいて、
前記電子プロセッサが、更に、前記判断した資産保全性問題に対処するリコメンデーションを発生するように構成され、
前記出力デバイスが、更に、前記リコメンデーションを出力するように構成される、ＩＡＩＭＳ。
【請求項２０】
請求項１７記載のＩＡＩＭＳにおいて、
前記電子プロセッサが、前記中央通信コントローラに少なくとも部分的に配置され、
前記電子プロセッサが、更に、前記判断された資産保全性問題に対処するリコメンデーションを発生するように構成され、
前記出力デバイスが、更に、前記リコメンデーションを出力するように構成される、ＩＡＩＭＳ。
【請求項２１】
資産保全性問題を管理する方法であって、
少なくとも１つの資産を特定するステップと、
前記特定された少なくとも１つの資産についての追跡システム・データにアクセスするステップと、
前記特定された少なくとも１つの資産についての実績データを受け取るステップと、
何れかの保全性問題が前記特定された少なくとも１つの資産について存在するかを、前記アクセスおよび前記受け取ったデータに基づいて判断するステップと、
判断された保全性問題についての情報を、移動体通信デバイスに出力するステップと、
を含む、方法。
【請求項２２】
請求項２１記載の方法であって、更に、
前記判断された資産保全性問題に対処するためのリコメンデーションを発生するステップと、
前記移動体通信デバイスに前記リコメンデーションを出力するステップと、
を含む、方法。
【請求項２３】
資産の故障を予防する対策を取るステップを更に含む、請求項２１または２２記載の方法。
【請求項２４】
請求項２１から２３の何れか一項記載の方法であって、更に、
第１フレームにおいて複数の資産を特定するステップと、
何れかの保全性問題が前記第１フレームにおいて前記特定された複数の資産について存在するかを判断するステップと、
前記第１フレームにおいて前記複数の資産について判断された保全性問題についての第１指標を前記移動体通信デバイスに出力するステップであって、前記第１指標が、前記第１フレームの資産における保全性問題についての一般化された指標である、ステップと、
第２フレームにおいて少なくとも１つの資産を特定するステップであって、前記第２フレームが、前記第１フレームのサブセットであるより狭いフレームである、ステップと、
何れかの保全性問題が前記第２フレームにおいて前記特定された少なくとも１つの資産について存在するかを判断するステップと、
前記第２フレームにおいて少なくとも１つの資産について判断された保全性問題についての第２指標を前記移動体通信デバイスに出力するステップと、
を含む、方法。
【請求項２５】
請求項２４記載の方法であって、更に、ドリル・ダウン技術を実行することにより、請求項２４記載のステップが、保全性問題が特定の資産について特定されるまで、連続的にフレームを狭めるように繰り返される、方法。
【請求項２６】
請求項２１から２５の何れか一項記載の方法において、前記特定するステップが、コード化されたタグを資産に固定するステップと、前記移動体通信デバイスのスキャナを用いて前記コード化されたタグをスキャンするステップと、を含む、方法。
【請求項２７】
請求項２１から２６の何れか一項記載の方法において、前記特定するステップが、認識インジケータを資産に固定するステップと、前記認識インジケータに関連付けられる前記資産を特定するために、前記移動体通信デバイスの撮像デバイスを用いて前記認識インジケータの画像をキャプチャするステップと、を含む、方法。
【請求項２８】
請求項２１から２７の何れか一項記載の方法において、前記特定するステップが、前記移動体通信デバイスの撮像デバイスを用いて資産の画像をキャプチャするステップと、前記キャプチャされた画像に関連付けられる資産を特定するために物体認識を実行するステップと、を含む、方法。
【請求項２９】
請求項２１から２８の何れか一項記載の方法において、前記実績データが、前記特定された複数の資産に関係する実績パラメータを感知するための少なくとも１つのセンサによって収集されるセンサ・データを含む、方法。
【請求項３０】
請求項２９記載の方法において、前記少なくとも１つのセンサが、対応する資産についての１つ以上の動作パラメータを感知する装置センサを含む、方法。
【請求項３１】
請求項３０記載の方法において、前記１つ以上の動作パラメータが、気圧、温度、水分レベル、サイクル時間、オン・オフ時間、物理的摩耗、液体汚染または劣化、および実績評価基準の内少なくとも１つを含む、方法。
【請求項３２】
請求項２９から３１の何れか一項記載の方法において、前記少なくとも１つのセンサが、前記資産の位置における環境状態を感知する位置センサを含む、方法。
【請求項３３】
前記実績データが老朽化データを含む、請求項２１から３２の何れか一項記載の方法。
【請求項３４】
実行可能なプログラム・コードを格納する非一時的コンピュータ可読媒体であって、電子デバイスによって実施されると、
少なくとも１つの資産を特定するステップと、
前記特定された少なくとも１つの資産についての追跡システム・データにアクセスするステップと、
前記特定された少なくとも１つの資産についての実績データを受け取るステップと、
何れかの保全性問題が前記特定された少なくとも１つの資産について存在するかを、前記アクセスおよび前記受け取ったデータに基づいて判断するステップと、
判断された保全性問題についての情報を、移動体通信デバイスに出力するステップと、
を実行するように構成される、非一時的コンピュータ可読媒体。
【請求項３５】
請求項３４記載の非一時的コンピュータ可読媒体であって、前記実行可能なプログラム・コードが、更に、
前記判断された資産保全性問題に対処するためのリコメンデーションを発生するステップと、
前記移動体通信デバイスに前記リコメンデーションを出力するステップと、
を実行するように実施される、非一時的コンピュータ可読媒体。
【請求項３６】
請求項３４または３５記載の非一時的コンピュータ可読媒体において、前記実行可能なプログラム・コードが、更に、
第１フレームにおいて複数の資産を特定するステップと、
何れかの保全性問題が前記第１フレームにおいて前記特定された複数の資産について存在するかを判断するステップと、
前記第１フレームにおいて前記複数の資産について判断された保全性問題についての第１指標を前記移動体通信デバイスに出力するステップであって、前記第１指標が、前記第１フレームの資産における保全性問題についての一般化された指標である、ステップと、
第２フレームにおいて少なくとも１つの資産を特定するステップであって、前記第２フレームが、前記第１フレームのサブセットであるより狭いフレームである、ステップと、
何れかの保全性問題が前記第２フレームにおいて前記特定された少なくとも１つの資産について存在するかを判断するステップと、
前記第２フレームにおいて少なくとも１つの資産について判断された保全性問題についての第２指標を前記移動体通信デバイスに出力するステップと、
を実行するように構成される、非一時的コンピュータ可読媒体。
【請求項３７】
請求項３６記載の非一時的コンピュータ可読媒体において、前記実行可能なプログラム・コードが、ドリル・ダウン技術を実行することにより、請求項３３記載のステップが、保全性問題が特定の資産について特定されるまで、連続的にフレームを狭めることについて繰り返されるステップを実行するように実施される、非一時的コンピュータ可読媒体。
【請求項３８】
移動体通信デバイスであって、
電子プロセッサであって、
少なくとも１つの資産を特定し、
無線インタフェースを通じて、前記特定された少なくとも１つの資産についての追跡システム・データにアクセスし、
無線インタフェースを通じて、前記特定された少なくとも１つの資産についての実績データを受け取り、
何れかの保全性問題が前記特定された少なくとも１つの資産について存在するかを、前記アクセスおよび前記受け取ったデータに基づいて判断する、
ように構成される、電子プロセッサと、
前記判断された保全性問題についての情報を出力する出力デバイスと、
を備える、移動体通信デバイス。
【請求項３９】
請求項３８記載の移動体通信デバイスにおいて、前記電子プロセッサが、更に、前記判断した資産保全性問題に対処するリコメンデーションを発生するように構成され、
前記出力デバイスが、前記リコメンデーションを出力する、移動体通信デバイス。
【請求項４０】
請求項３８または３９記載の移動体通信デバイスであって、更に、資産に関連付けられる画像をキャプチャする撮像デバイスを備え、
前記電子プロセッサが、前記キャプチャされた画像に基づいて前記少なくとも１つの資産を特定するように構成される、移動体通信デバイス。
【請求項４１】
請求項３８から４０記載の移動体通信デバイスにおいて、前記出力デバイスがディスプレイを備え、前記判断された保全性問題についての情報が前記ディスプレイ上に表示される、移動体通信デバイス。
【請求項４２】
請求項４１記載の移動体通信デバイスにおいて、前記出力デバイスが、更に、前記判断された保全性問題の音声指標を出力するスピーカを備える、移動体通信デバイス。
【請求項４３】
請求項４１または４２記載の移動体通信デバイスにおいて、前記出力デバイスが、更に、触覚インジケータを備え、前記指標が更に、前記触覚インジケータによって出力される触覚フィードバックを備える、移動体通信デバイス。
【請求項４４】
請求項３８から４３の何れか一項記載の移動体通信デバイスにおいて、前記電子プロセッサが、更に、前記資産に関係するデータを別の電子デバイスに送信するように構成される、移動体通信デバイス。
【発明の詳細な説明】
【技術分野】
【０００１】
関連出願
本出願は、２０１５年５月１５日付けで出願された米国仮出願番号第６２／１６２号の優先権を主張し、ここに参照したことにより組み込まれるものである。
【０００２】
本発明は、資産追跡および管理システムに関する。より具体的には、保守、修理および交換のための機械部品パーツ（資産）の追跡および管理システムに関するものである。
【従来技術】
【０００３】
一般的には資産と称される機械部品に関する情報を追跡するための追跡システム、より具体的には、例えば、保守、修理、および交換のために、資産保全性問題に対処するための追跡システムが、当該技術分野において知られている。例えば、このような追跡システムは、機械を制御するための作動液システムを利用する産業で採用される。作動液システムは、車両変速機、建設および採掘機器、農機具、海底油層およびガス掘削作業機、並びに他の多数のものにおいて駆動力を発生させるシステムを含んだ多様な産業で使用される。
【０００４】
作動液システムは、例えば多様なホースおよびフィッティングを含んだ様々な構成部品パーツからアセンブルされる。構成要素のホースおよびフィッティングの各々は、システムでのその役割に基づいて変化する。例えば、高圧油圧ライン用のホースおよびフィッティングは、低圧作動液ライン用のこのような構成部品と比較して、異なる特性（例えば、長さ、厚み、弾力、曲げ、材料合成等）を有することがある。加えて、構成部品の特性は、使用の環境状態に基づいて変化することがある。例えば、海底ドリル作業機は、公道での車両変速機の動作条件と比較して、実質的に異なる温度および気圧状態に晒される。つまり、部品は、如何なる特定の動作状態にも耐えることが保証された異なる特性を有することになる。例示のものとして油圧システムを用いたが、資産のバリエーションは、如何なる機械、マシン、または装置を使用した産業でも重要となることが認められよう。
【０００５】
つまり、資産保全性問題、特に、部品パーツの保守、修理、および交換のために、機械資産を容易に特定可能とすることは、是非とも果たさなければならないことである。構成部品に故障が生じた場合、装置の多大なダウンタイムにより、重大な経済的損失という結果となり得る。正しい構成部品パーツまたは資産が効率的に特定できいな場合には、ダウンタイム期間は延長されることになる。油圧ホースおよびフィッティングについての上記例から、構成部品パーツの種類が広範となることが認められよう。数多くの構成部品パーツは、幾らかの視覚的または外面的な類似性を有することがあり、正しいパーツを、単に見るだけで判断することを困難にする。また、幾らかの構成部品の特性は、正確な測定または点検（例えば、正確なホース長またはフィッティング径）がなければ容易に特定可能とはされないことがある。つまり、資産特定は複雑になり得、また、正しい資産を特定するのに浪費される非効率な時間がダウンタイムを増加させる。最初の資産特定が正しくなかった場合には、資産特定プロセスを何回も繰り返すことが必要とされて、ダウンタイムが更に悪化することになる。したがって、非効率または不正確な資産特定に基づきダウンタイムが延長されることによる経済的損失は、様々な産業にとって深刻な問題を提起する。
【０００６】
ダウンタイムを低減させるために、保守、修理、および交換について改良された資産特定のための追跡システムが開発されている。１つの公知のシステムでは、接着性タグが資産（例えば、構成部品パーツ）に固定される。当該タグは情報を特定する基本パーツである。例えば、タグは、一意の製造業者パーツ識別（ＩＤ）、対応するカスタマ・パーツＩＤ、関連日付（例えば、組み立て、製造、またはインストール日）、およびカスタマイズしたプリント情報（例えば、パーツ説明若しくは或る他の単純な説明、または関連情報）を含んでもよい。
【０００７】
タグは、コード化された部分を更に含む。コード化された部分は、バーコードのような受動タグ・コードとしてもよく、或いは、ＲＦＩＤタグまたは相当する近距離通信（ＮＦＣ）デバイスのような給電可能コードとしてもよい。コード化された部分は、対応する従来の読取デバイス（例えば、スキャナ）によって読み取られる。読取デバイスは、次いで、ローカルまたは非ローカルなネットワーク（例えば、インターネット）を通じてデータベースとの電子通信を行う。データベースは、構成部品パーツ、即ち資産についての付加的情報を含む。データベース情報の例は、タグそれ自体に収容される複製情報を、付加的情報（例えば、顧客情報、部品表、適用データ、保守履歴または保守サイクル、証明書情報、および部品図面等）と同様に含んでもよい。一般的にデータベースは、如何なる好適な手法で、資産に関する有効情報を占有する(populate)。
【０００８】
このような追跡システムは次のように使用される。パーツ故障の報告がなされた場合、当該分野の技術者は、スキャナまたは他の好適な読取デバイスによって構成部品のタグを読み取ることができる。ネットワーク接続を通じて、読取デバイスを用いてタグから読み取られる情報は、構成部品についてのデータベースの情報に整合される。読取デバイスの機能に基づいて、技術者は、パーツを注文し、保証される場合は関連パーツを注文することができ、更にはデータベースを更新することができる。例えば、読取デバイスは、スマートフォン、タブレット・コンピュータ、入出力のコンピュータ・ライクな機能性を有する同様の移動体通信デバイスに組み込まれてもよく、技術者によって、パーツの交換および他の保守命令を入力し、さもなければ如何なる好適な手法でデータベース情報を更新するのを許容する。
【０００９】
タグ、読取デバイス、およびデータベース間の電子通信のために、資産特定および関連する如何なる保守命令が、高い効率性および正確性で実行される。正確性は、一般的なパーツ情報を含むだけではなく、サイジング（例えば、所与のホース種別を必要とする長さにカットすること）のような如何なる事前処理要件も包含することができる。このような正確性および効率性によって、処理時間の低減および誤ったパーツ特定の回避の両方の点でダウンタイムは削減される。
【発明の概要】
【発明が解決しようとする課題】
【００１０】
上述した性質を有する追跡システムは、資産の識別および関連の保守のために効果的であることが判明している。しかしながら、このようなシステムは、基本的に、反応性(reactive)であり、能動的な(proactive)システムではない。換言すれば、構成部品の故障または類似のトリガ・イベント（例えば、構成特定の部品の予定検査）によって、特定のタグの調査が催促されなければならない。それ自体内にある追跡システム、また、それ自体が有する追跡システムは、実際の故障に先立って能動的な保守手順を許容することになる高度な警告または見込み(probability)の判定を何れも提供しない。実際の故障よりも前に、緊急の保全性問題を有する資産を技術者が特定できた場合には、ダウンタイムは低減することができる。更に一般的には、緊急の故障の問題を遠ざけてでも、当該分野における技術者にとって、リソースの割り当ておよび計画、保守予定、並びに予知故障評価等のための潜在的な保全性問題に関連して、資産の使用または実績状態を知ることは有益となろう。
【００１１】
より多くの能動的な情報を取得するための１つの選択肢は、単に、技術者が、所与の位置で、或いは、所与のシステム内の構成部品または装置のピース（例えば、車両若しくは他のマシン）を構成する資産を定期的に点検することである。このような点検では、技術者は、関連したタグのグループを組織的にスキャンすることができ、これにより、データベースから現在のステータス情報を取得し、必要に応じてデータベースを更新する。しかしながら、個々のタグをスキャンすることによる定期的な点検は、時間を浪費し、目標とはならない。
【００１２】
幾らかの資産は、有効耐用期間(life)に関係した予め決定された仕様を有することがある。例えば、有効耐用期間は、時系列時間またはサイクル寿命で測定されてもよく、これに応じて、保守または交換が遂行されることになる。しかしながら、このような手段は正確なものではない。何故ならば、実際の有効耐用期間は、ローカルな動作状態に従って変化することがあるからである。実際の環境または動作状態は、天気、温度、水分、および気圧等のような平均または最頻値(average or norm)から変化し、有効耐用期間を、予測される仕様から拡張または減少することがある。加えて、有効耐用期間の仕様に厳格に固執したとしても、追跡システムそれ自体が、自動通知を行うための技術者へのリンクを欠如させる。必要とされる保守または他の保全性問題を技術者に通知するには、タグのスキャニングまたは追跡システムを監視する人によるマニュアルの通知のように、何らかのトリガ・イベントが尚も存在しなければならない。したがって、従来の追跡システムは、リアル・タイムおよび現時点の実績情報の統合が欠如し、このことは、能動的な資産保全性管理システムを除外している。
【課題を解決するための手段】
【００１３】
本発明は、追跡システム・データをリアル・タイムおよび／または現時点の実績情報と統合する統合資産保全性管理システム（ＩＡＩＭＳ）を提供する。ＩＡＩＭＳは、製品、システムまたはアセンブリ（資産）の製造または取付の時点で生成された追跡システム・データを統合し、資産の取付のサイトで利用可能なリアル・タイムおよび現時点の実績データを用いてこのような追跡システム・データに更新するコンピュータ・ベースのシステムである。リアル・タイムおよび現時点の実績データ、環境状態のログ、現時点の実績を示す如何なるソースからの関連データは、センサによって発生される。ＩＡＩＭＳは、システム動作、効率性、または他の機能の保守に関係する保全性問題を特定するために、資産の現在のステータスを特定し、当該分野の技術者によって使用される移動体通信ユーザ・デバイスを含む他のコンピュータ・システムにステータスを伝達する。データは、活動中または記録したビデオ・フィードへのオーバレイとして、または、取付の映像を技術者に提供するユーザ・インタフェース・デバイスを介して、表示される。データは、活動中のセンサ・データと、「クラウド」、インターネット、または他のネットワークへのアクセスによって供給されるデータと、モバイル・デバイスまたはディスプレイの支持装置の何れかにローカルに格納されるデータと、の何れかを通じて利用可能である。
【００１４】
本発明の態様は、したがって、統合資産保全性管理システム（ＩＡＩＭＳ）である。例示の実施形態では、ＩＡＩＭＳは、対応する複数の資産に関連付けられる複数の資産情報識別子（例えば、添付されたタグまたは他の視覚認識インジケータ）と、複数の資産情報識別子を読み取る読取デバイスを備える移動体通信デバイスと、移動体通信デバイスと電子通信を行うサーバと、を含む。サーバは、資産情報識別子に対応する追跡システム・データを含む追跡システム・データベースと、現時点の資産の実績に関係するデータを含む実績データベースと、を有するデータベース構造を含む。移動体通信デバイスは、資産情報識別子から読み取られた資産情報をサーバに送信するように構成される。電子プロセッサは、読み取られた資産情報識別子に対応する資産を特定し、データベース構造内のデータに基づいて、読み取られた資産情報識別子に対応する何れの資産の資産保全性問題を判断(determine)するように構成される。出力デバイスは、判断された保全性問題に関連付けられる指標を出力するように構成される。
【００１５】
例示の実施形態では、ＩＡＩＭＳは、読み取られた資産情報識別子に対応する資産に関係する実績パラメータを感知する少なくとも１つのセンサを備え、当該実績データは、少なくとも１つのセンサによって収集されるセンサ・データを含む。センサは、対応する資産についての１つ以上の動作パラメータを感知する装置センサを含む。１つ以上の動作パラメータは、気圧、温度、水分レベル、サイクル時間、オン・オフ時間、物理的摩耗、または実績評価基準の内の少なくとも１つ、或いは如何なる他の好適な動作パラメータを含む。センサは、更に、読み取られた資産情報識別子に対応する資産の位置における環境状態を感知する位置センサを含む。センサ・データはサーバに送信され、実績データベースに格納される。実績データは、更に、老朽化データを含む。
【００１６】
本発明の別の態様は、資産保全性問題を管理する方法である。例示の実施形態では、本方法は、少なくとも１つの資産を特定するステップと、特定された少なくとも１つの資産についての追跡システム・データにアクセスするステップと、特定された少なくとも１つの資産についての実績データを受け取るステップと、何れかの保全性問題が特定された少なくとも１つの資産について存在するかを、アクセスおよび受け取ったデータに基づいて判断するステップと、判断された保全性問題についての情報を、移動体通信デバイスに出力するステップと、を含む。本方法は、更に、判断された資産保全性問題に対処するためのリコメンデーションを発生するステップと、移動体通信デバイスにリコメンデーションを出力するステップと、を含む。
【００１７】
例示の実施形態では、本方法は、フレーミング・アルゴリズムを使用して実行される。フレーミング・アルゴリズムは、複数の資産を含む位置において保全性問題を絞り込むためのドリル・ダウン技術を採用する。特に、本方法は、第１フレームにおいて複数の資産を特定するステップと、何れかの保全性問題が第１フレームにおいて特定された複数の資産について存在するかを判断するステップと、第１フレームにおいて複数の資産について判断された保全性問題についての第１指標を移動体通信デバイスに出力するステップであって、当該第１指標が、第１フレームの資産における保全性問題についての一般化された指標である、ステップと、第２フレームにおいて少なくとも１つの資産を特定するステップであって、第２フレームが、第１フレームのサブセットであるより狭いフレームである、ステップと、何れかの保全性問題が第２フレームにおいて特定された少なくとも１つの資産について存在するかを判断するステップと、第２フレームにおいて少なくとも１つの資産について判断された保全性問題についての第２指標を移動体通信デバイスに出力するステップと、を含む。本方法は、ドリル・ダウン技術を採用することにより、これら上記のステップが、保全性問題が特定の資産について特定されるまで、連続的にフレームを狭めるように繰り返される。
【００１８】
本発明の別の態様は、実行可能なプログラム・コードを格納する非一時的コンピュータ可読媒体であって、電子デバイスによって実施されると、資産保全性問題を管理する上記方法のステップを実行するように構成される。
【００１９】
本発明のこれらおよび更なる特徴は次の説明および添付の図面を参照して明らかとなろう。説明および図面では、本発明の特定の実施形態が、本発明の原理が採用される幾らかのやり方を示しつつ、詳細に開示されている。しかしながら、本発明は、これに対応した範囲には限定されないことが理解される。寧ろ、本発明は、本明細書に添付した特許請求の範囲の趣旨および用語に達する全ての変更、修正、および均等物を含むものである。一実施形態に関して説明および／または図示される特徴は、１つ以上の他の実施形態、および／または他の複数の実施形態との特徴の組み合わせ若しくは代替物における同一または類似の手法で使用することができる。
【図面の簡単な説明】
【００２０】
【図１】図１は、本発明の実施形態により、例示の統合資産保全性管理システム（ＩＡＩＭＳ）の動作部を示す概要図である。
【図２】図２は、本発明の実施形態により、例示の移動体通信デバイスの動作部を示す概略ブロック図である。
【図３】図３は、本発明の実施形態により、例示のヘッドセットの動作部を示す概略ブロック図である。
【図４】図４は、本発明の実施形態により、例示のサーバの動作部を示す概略ブロック図である。
【発明を実施するための形態】
【００２１】
本発明の実施形態について、これより図面を参照して説明される。全体を通じて、同じ参照符号を使用して同じ構成要件を参照している。図面は必ずしも一定の比率であるという訳ではないことが理解されよう。
【００２２】
図１は、本発明の実施形態により、例示の統合資産保全性管理システム（ＩＡＩＭＳ）１０の動作部を示す概要図である。図１は、ＩＡＩＭＳ１０の包括的な概観を示す。ＩＡＩＭＳ１０は、追跡システム・データを、複数の資産２０に関係するリアル・タイムおよび現時点の実績情報と統合する。図１の例では、資産２０には、タンカ・トラック２０ａ、空気調節ユニット２０ｂ、およびホース・アセンブリ２０ｃが含まれる。資産２０ａ−ｃは例示のものであり、このような資産が如何なる好適なマシン、装置および車両等、並びにこれらの構成部品としてもよいことが認められる。各資産は、単一の構成部品（例えば、ホース・アセンブリ２０ｃ）、または多数の構成部品を収容する装置（例えば、タンカ・トラック２０ａおよび空気調節ユニット２０ｂ）である傾向がある。各資産２０は、対応する資産に関連付けられる資産情報識別子２２を該資産に添付している。例えば、資産情報識別子は、上述したように、追跡システムのコード化されたタグ２２としてもよい。
【００２３】
ＩＡＩＭＳ１０は、更に、１つ以上の移動体通信デバイス２４を更に含む。各移動体通信デバイスは、当該技術分野で知られるように、コンピューティング機能性を有する如何なる携帯型の電子デバイスであってもよい。このようなデバイスの例には、移動体電話機、スマートフォン、タブレット、またはラップトップ・コンピュータ等が含まれる。図１の例では、２つの例示の移動体通信デバイスが示されており、１つ目はタブレット・コンピュータ２４ａ、また、２つ目は技術者が着用するヘッドセット２４ｂである。各移動体通信デバイス２４が資産情報識別子を読み取る読取デバイス２６（例えば、追跡システム・タグ）と、資産２０に関係するリアル・タイムおよび／または現時点の実績データを受信または送信するための電子受信機２８と、を有する。
【００２４】
図２は、本発明の実施形態により、移動体通信デバイス２４ａの動作部を示す概略ブロック図である。デバイス２４ａは、デバイスの機能および動作について全体制御を実行するように構成される主制御回路４１を含む。この制御回路４１は、電子プロセッサ４２（例えば、ＣＰＵ、マイクロコントローラ、またはマイクロプロセッサ）を含む。それらの機能の間では、本発明の特徴を実装するために、制御回路４１および／または電子プロセッサ４２がコントローラを備え、資産保全性アプリケーション４３として組み込まれるプログラム・コードを実施する。コンピュータ・プログラミングの技術分野、具体的には、移動体電子デバイス用のアプリケーション・プログラミングにおける当業者にとって、アプリケーション４３に関連付けられる論理機能を動作および実行するようにデバイスをプログラムする方法は明らかであろう。したがって、特定のプログラム・コードに関する詳細については、簡単のために考慮に入れていない。また、例示の実施形態により、コードが制御回路４１によって実施される一方で、このようなコントローラの機能性はまた、専用のハードウェア、ファームウェア、ソフトウェア、またはそれらの組合せによって、本発明の範囲を逸脱することなく、実行されてもよい。
【００２５】
移動体通信デバイスはディスプレイ１４を有する。ディスプレイ１４は、各種特徴およびデバイスの動作状態に関する情報をユーザに表示し、また、デバイスが受け取りおよび／またはメモリ４５から抽出した視覚コンテンツを表示する。更に、ディスプレイ１４は、撮像デバイス（例えば、カメラ・アセンブリ）用の電子ファインダとして使用してもよい。視覚情報はビデオ処理回路５４によって処理される。デバイスは、更に、各種ユーザ入力操作を提供するキーパッド１８を有する。例えば、キーパッド１８は、通常、英数字情報の入力を可能にするために英数字キーを含む。キー入力(key)またはキー入力ライクな機能性がまた、ディスプレイ１４に付随するタッチ・スクリーンとして組み込まれる。デバイスは、無線回路４６に結合されるアンテナ４４を含む。無線回路４６は、移動体通信デバイスにおける従来のアンテナ４４を介して信号を送信および受信するための無線周波数送信機および受信機を含む。デバイスは、更に、無線回路４６によって送信され無線回路４６から受信されるサウンド信号を処理するためサウンド信号処理回路４８を含む。サウンド信号処理回路４８には、多くの移動体通信デバイスにおける従来のスピーカ５０およびマイクロフォン５２が結合される。
【００２６】
図３は、本発明の実施形態による例示のヘッドセット２４ｂの動作部を示す概略ブロック図である。音声呼び出し機能も有するヘッドセットでは、無線回路８６は、従来のアンテナ８４を介して信号を送信および受信するための無線周波数送信機および受信機を含む。ヘッドセット２４ｂは、更に、無線回路８６によって送信され、無線回路８６から受信される音声信号を処理するためのサウンド信号処理回路８５を含む。サウンド処理回路８５には、イヤホン８３およびマイクロフォン８８が結合される。ヘッドセットは、情報をユーザに表示する接眼レンズの形態のディスプレイ８７を含んだヘッドマウント型ディスプレイ・システムとして構成される。ディスプレイ８７はビデオ処理回路９０に結合される。ビデオ処理回路９０は、ビデオ・データを、様々なディスプレイを駆動するように使用されるビデオ信号に変換する。撮像デバイス（例えば、カメラ８２）は、ユーザがいる位置において画像（静止画または動画）をキャプチャするのに使用される。ローカル無線インタフェース８９（例えば、Ｂｌｕｅｔｏｏｔｈ（登録商標）、ＲＦ、赤外線、または他の短距離インタフェース）は、従来の他の移動体通信デバイス２４ａを含む他の電子デバイスからデータを送信および受信するのに使用される。ヘッドセットはまた、電子処理回路９２を含む制御回路９１を収容し、ヘッドセットの動作全体を制御する。
【００２７】
図１を再度参照する。ＩＡＩＭＳ１０は、読み取られた資産情報識別子に対応する資産に関係する実績パラメータを感知する少なくとも１つのセンサ３０を備える。移動体通信デバイスによってアクセスされる実績データは、少なくとも１つのセンサによって収集されるセンサ・データを含む。センサ３０は、ローカルな動作状態（例えば、温度、気圧、水分レベル、または湿度等）に基づいてデータを収集するために採用される。
【００２８】
図１に示されるように、センサ３０ａのような特定のセンサは、資産（例えば、倉庫や船体等）のより広い位置についての状態を感知する位置センサとしてもよい。他のセンサ３０は、資産２０に、または資産２０内に直接設けられる装置センサとしてもよい。装置センサ３０は、資産における、または資産についての１つ以上の動作パラメータを直接感知する。このような装置センサは、装置の動作状態が、資産の位置においてより広い環境状態から実質的に変化する（例えば、資産が動作時に著しい熱を発生する）場合に、特に有用である。特定の装置センサにおける他の使用は、動作の特定パラメータ（例えば、サイクル時間、または、「オン」状態若しくは使用中の資産または資産構成部品の時系列時間）を追跡することである。特定の装置センサは、更に、保全性問題（例えば、摩耗、疲労、転移、低下実績、および、貧弱な実績または潜在的故障を表し得る、資産の他の好適な実績測定基準）に関連付けられることがある資産状態を検出するために使用される。センサ３０はまた、基本電子機能を有し、感知したデータをローカル・センサ・メモリに格納し、または、更なる処理若しくはストレージのために外部電子デバイスに感知したデータを送信するのを許可することになる。
【００２９】
ＩＡＩＭＳ１０は、更に、移動体通信デバイスと無線通信を行う中央通信コントローラ３２を更に含む。中央通信コントローラは、センサ・データベースに格納される組み合わされる情報を様々なセンサ３０から収集し、また、このように組み合わされる情報をより中央化された手法で移動体通信デバイス２４に送信する通信ハブとして作用する。ＩＡＩＭＳ１０は、更に、ネットワーク・サーバ３４を含む。ネットワーク・サーバ３４は、中央通信コントローラ３２に、および移動体通信デバイス２４に無線でリンクする。ＩＡＩＭＳ１０の構成部品間における様々な無線通信は、図１では矢印で示されている。
【００３０】
図４は、本発明の実施例により、例示のネットワーク・サーバ３４の動作部を示す概略ブロック図である。ネットワーク・サーバ３４は、データベース構造と、通信コントローラおよび移動体通信デバイスと通信を行う通信回路を組み込んだ１つ以上の電子プロセッサ・デバイス７９と、を含む。データベース構造は、リアル・タイム状態および現時点の実績に関するセンサから受け取られるデータを収容する実績データベース７６と、資産情報識別子（例えば、資産に添付される追跡システム・タグ）に対応する追跡システム・データを含む追跡システム・データベース７８と、を含む。実績データベース７６は、老朽化データベースを部分的に含む。老朽化データベースは、市場からの短期または事前の撤去の対象になり得る資産または資産の構成部品に関する情報を含む。例えば、新製品が開発されると、既存の製品ラインの製造およびこれに関連した保守サポートは段階的に排除される。このことは老朽化データベースに関する保全性問題と同等視することができる。
【００３１】
更に後述するように、例示の実施形態では、資産保全性管理に関する処理は、サーバ・レベルで実行されてもよい。したがって、サーバ３４はまた、移動体通信デバイス内に配置される資産保全性管理アプリケーション４３と同等の資産保全性管理アプリケーション７７を含んでもよい。
【００３２】
ＩＡＩＭＳ１０は、従来の追跡システム・データを、複数の資産に関連するリアル・タイムおよび現時点の実績情報と統合することにより、従来の追跡システムを超えて改善する。  このような統合により、技術者は、特定のトリガ・イベント（例えば、実際の故障または特定の点検時間）を有することなく、保守および他の保全性問題に対してアラートすることができる。このような統合を達成するために、ＩＡＩＭＳは、資産保全性問題を管理する次の方法ステップが実行されるように構成される。即ち、（１）特定の資産を特定するステップ、（２）特定された資産についての追跡システム・データにアクセスするステップ、（３）特定された資産についての（リアル・タイム・データ、センサ・データ、および／または老朽化データを含んだ）実績データを受け取るステップ、また、（４）アクセスおよび受け取ったデータに基づいて、何れかの保全性問題が存在するかを判断するステップである。何れかの保全性問題についての情報は、次いで、移動体通信デバイスによって出力されるので、このような問題は技術者によって対処されることができる。システムは、デバイスの資産保全性管理アプリケーション４３またはサーバの資産保全性管理アプリケーション７７のような実行可能なプログラム・コードを格納する非一時的コンピュータ可読媒体を含み、電子プロセッサまたは他のコンピューティング・デバイスによって実施されると、資産保全性問題を管理する方法のステップを実行するように構成される。
【００３３】
統合の各種レベルは、システム・ユーザのニーズに相応して達成される。所望の統合のレベルは、システム動作の性質を、より受動的またはより能動的なものと判断する。次いで、システムに必要とされる正確な構成部品に指図する。
【００３４】
第１レベルの統合では、ＩＡＩＭＳ１０は、資産情報識別子（例えば、追跡システム・タグ２２）を有する複数の資産２０と、１つ以上の移動体通信デバイス２４と、ネットワーク・サーバ３４と、を含むのみである。この第１レベルの統合は、追加のセンサを採用する必要はない。移動体通信デバイスは、資産情報識別子から読み取られた資産情報をサーバに送信するように構成される。電子プロセッサは、読み取られた資産情報識別子に対応する資産を特定し、読み取られた資産情報識別子に対応する何れの資産の資産保全性問題を、サーバ内に格納されたデータに基づいて判断するように構成される。出力デバイスは、判断された保全性問題に関連付けられた指標を出力するように構成される。
【００３５】
従来の追跡システムを超えるＩＡＩＭＳ１０の利点は、個々のタグをスキャンする必要なく資産を特定できるということである。このことは、各種機構によって達成することができ、単独または組合せの何れかが利用される。例えば、装置種別を判断するために、視覚化技術を採用して物体認識を使用してもよい。移動体通信デバイスは、資産に関連付けられる画像をキャプチャするための撮像デバイス（例えば、カメラ）と、資産種別を判断するための物体認識ソフトウェアと、を含む。例示の実施形態では、移動体通信デバイスは、更に、ＧＰＳのような移動体通信デバイスの位置に関する位置データを発生するための位置デバイス６６（図２を参照）を含む。位置データは、資産種別を特定の資産に狭めるために、サーバに送信されることができる。このようなシステムは、一例として、空気調節ユニット２０ｂを使用して次のように動作する。物体認識を使用して、移動体通信デバイスのプロセッサ・デバイスは、ユニットのモデルを判断する。ユニットがどこに据え付けられているかについて正確に判断するために、位置データを使用することができる。電子プロセッサは、正確な資産を特定するために、これらの情報ピースを組み合わせて使用する。例示の実施形態では、空間マッピング技術を採用して、所望のエリアに対する各種物体および指標をマップする。
【００３６】
視覚化技術の他の例は、資産情報識別子として、特定の視覚認識インジケータを資産に付加することである。このような認識インジケータは、今度は、多数の構成部品の資産を含む装置にとって特に好適なものとなる。移動体通信デバイス（例えば、カメラ）の撮像デバイスは、認識インジケータの画像をキャプチャすることができる。認識技術を使用することにより、移動体通信デバイスは、認識インジケータを認識することができ、これにより、より一般化された装置資産に関連付けられる全ての構成部品資産を特定することができる。例えば、空気調節ユニット２０ｂは、各種ホース、フィッティング、ゲージ、および他の構成部品を含む。視覚認識インジケータ２２は、空気調節ユニットの外面に設けられ、移動体通信デバイスによって認識することができる。このような認識に応じて、一般化された資産は、資産認識インジケータによってリンクされているこのようなユニット内の全ての構成部品資産（例えば、ホース、ゲージ、フィッティング）を追加で特定することと共に、特定することができる。
【００３７】
視覚化技術は、公知の撮像およびカメラ技術を使用して実装される。カメラ、特にデジタル静止画／動画カメラは、今や、移動体通信デバイス（例えば、スマートフォンやタブレット・コンピュータ）で普通にみられる。他の構成は、図１および図３に示したヘッドセット２４ｂに関し、カメラ・デバイスを図示したヘッドセットに搭載することである。このようなカメラを使用することよって、技術者は、単に、ある位置または施設を歩き、視覚化技術を実行するために資産の画像をキャプチャするエリアをスキャンするだけでよい。ヘッドセット・カメラの構成では、照準線が、視覚化技術を実行するために効率的な機構を提供する。単純な条件では、技術者は、単に位置の周りを見ることによって資産を特定する。
【００３８】
視覚化技術は、他の電子識別技術と組み合わされてもよい。ＲＦＩＤ技術および類似の近距離通信（ＮＦＣ）技術は、視覚化技術を補強するために好適な機構を提供する。ＲＦＩＤおよびこれに相当するＮＦＣ技術では、スキャナのような読取デバイスは、電磁気の放出を通じて、タグに組み込まれる送信アンテナ用の電源を構成する。しかしながら、ＮＦＣ技術は、通常、読み取られるデバイスにユーザが比較的近く（恐らく数フィート以内に）にいることが必要とされる。つまり、例示の実施形態では、ＮＦＣ技術は、視覚化技術と組み合わされるのがよい。例えば、視覚化技術を採用して、特定の資産をより具体的に次いで特定するために使用されるＮＦＣ技術と共に、更なる調査を正当化するエリアの一般化された指示(indication)を供給することができる。
【００３９】
再び、従来の追跡システムを超える本発明の特定技術の利点は、多数の個別タグを見つけ出してスキャンする必要がなく、資産を特定する性能を有するということである。上述したように、様々な資産が一旦特定されると、ＩＡＩＭＳ１０によって実行される第２の動作は、特定された資産についての追跡システム・データにアクセスするということである。具体的には、追跡システム・データは、ネットワーク・サーバ３４に格納される追跡システム・データベース７８からアクセスされる。
【００４０】
移動体通信デバイス２４は、好ましくは、ネットワーク・サーバ３４と無線通信を行う。例示の実施形態では、ネットワーク・サーバは、外部ネットワーク（例えば、インターネットまたはセルラ・ネットワーク）を通じてアクセス可能である。しかしながら、幾らかの状況では、外部ネットワークへのアクセスは限定的である。例えば、資産が遠隔の位置にあり、そこが外部信号の送信に好適でない（例えば、船体、地下、または地階施設の）場合がある。このような状況では、移動体通信デバイスは、よりローカライズされた無線ネットワークを通じてネットワーク・サーバと通信を行うことができる。
【００４１】
背景説明部にて上述したように、追跡システム・データは、追跡システム・タグに収容された情報に対応する情報を特定する基本資産を含む。追跡システム・データベースは、構成部品パーツまたは資産についての付加的な情報、例えば、より詳細な顧客情報、部品表、アプリケーション・データ、更新がデータベースになされる場合は保守履歴、保守サイクル、証明書情報、および部品図面等を含む。
【００４２】
先に言及したように、追跡システム・データが一旦アクセスされると、ＩＡＩＭＳ１０によって実行される第３動作は、特定された資産についてのリアル・タイムおよび／または実績のデータを受け取ることである。リアル・タイムおよび実績のデータから、移動体通信デバイスまたはサーバの何れかの電子プロセッサは、保全性問題が存在するかについて、アクセスされた追跡システム・データ並びに受け取ったリアル・タイムおよび実績のデータに基づいて判断する第４動作を実行する。
【００４３】
この第１のレベルの統合ために、現時点の実績データは、主に、追跡システム・データに基づいて導出される。例えば、現時点の実績データは、製造および／または取り付けの日に基づいて、資産がその有効耐用期間の限界に接近しているかどうかを含む。追跡システム・データの位置情報はまた、有効耐用期間の判断において採用される。例えば、平均して穏やかな(mild)環境状態を有する位置で採用される資産は、平均して過酷な環境状態を有する位置で採用される資産と比べて、より長い有効耐用期間を有する。老朽化データベースが更にネットワーク・サーバ３４からアクセス可能な実施形態では、現時点の実績データは、より新しい製品が支持されて、資産が市場からの撤退に屈しているかどうかを含む。
【００４４】
現時点の実績データは、更に、関連製品のデータを含む。例えば、所与の位置または装置（例えば、ホースやフィッティング）において多数存在する在庫または物資ライクの資産は、個々の構成部品の保全性問題に過ぎないにも関わらず、時折、このような全てのアイテムを一度に交換するのにあまりコストがかからないことがある。換言すれば、多数の関連製品の交換について、それらの内の１つのみの保全性問題の場合には、各特定の製品が保全性問題を生じる際に連続して保守作業を実行するのと比べて、よりコスト効果的なものとなる。したがって、パフォーマンス・データは、他の資産との相互参照を有する関連製品のデータを含み、１つの資産について保全性問題が生じた場合に全てを一緒に交換するのがよい。
【００４５】
先に言及したように、電子プロセッサを採用して、特定された資産について、追跡システム・データと、リアル・タイム／現時点の実績データとを受け取る。電子プロセッサは、追跡システム・データおよび実績データから、資産保全性について判断を行う。電子プロセッサは、ハードウェア回路と、プロセッサにアクセス可能な非一時的コンピュータ可読媒体内でエンコードされたソフトウェア・コードまたは命令（例えば、資産保全性管理アプリケーション４３および７７）を実行する中央プロセスまたは処理ユニット（ＣＰＵ）と、或いは、ハードウェア回路（複数可）とプロセッサの組み合わせ、即ち、非一時的コンピュータ可読媒体内にエンコードされたマシン可読コードを実施する集積回路における制御ブロックにおいて実装される。このような用語(term)は、如何なる電子プロセッサに対しても置き換え可能に使用される。該電子プロセッサは、プロセッサ、または非一時的コンピュータ可読媒体にエンコードされたコードを実行する制御ブロック、或いは、ハードウェア回路（複数可）やこのようなコードを実行するプロセッサおよび／若しくは制御ブロックの組み合わせを構成する。
【００４６】
例示の実施形態では、図２に示したように、電子プロセッサは、移動体通信デバイス２４の内の少なくとも１つに組み込まれるローカルな電子プロセッサである。このような実施形態では、ネットワーク・サーバは、追跡システム・データおよび実績データを、無線ネットワークを通じて移動体通信デバイスに送信する。電子プロセッサは、次いで、受け取ったデータを分析し、保全性問題が何れかの資産に存在しているかを判断する。他の例示の実施形態では、図４に示したように、電子プロセッサは、ネットワーク・サーバ３４に組み込まれたネットワーク電子プロセッサである。このような実施形態では、ネットワーク・サーバは、追跡システム・データおよび実績データを分析し、保全性問題が何れかの資産に存在しているかを判断する。ネットワーク・サーバは、次いで、結果、および判断された何れかの保全性問題についての情報を、無線ネットワークを通じて移動体通信デバイスに送信する。
【００４７】
移動体通信デバイスは、更に、電子プロセッサによって実行される保全性判断の結果を出力するように構成される。出力デバイスは、移動体通信デバイスのディスプレイである。例示の実施形態では、出力は、ディスプレイ上に表示される視覚指標の形態とするのがよく、該視覚指標は、特定された資産の各々についての保全性問題の有無を示す。視覚指標は、保全性問題の段階的変化を示す多数の指標を含む。
【００４８】
例えば、多数の視覚指標は、技術者に、保全性問題の相対的な緊急性または重要性を通知することができる色ベースのシステムを構成してもよい。この例では、１つの資産に関連付けられる緑色の指標は、保全性問題が無いことを示してもよい。黄色の指標は、保全性問題がアクションを要する緊急性はないものの、更なる問題について追跡または監視される必要があることを示してもよい。赤色の指標は、緊急のアクション（例えば、修理、交換、または他の保守アクション）を必要とすることを示してもよい。
【００４９】
視覚指標は、資産特定情報と組み合わせて移動体通信デバイス２４に表示される。技術者によって調査されている多数の資産に対し、スクロール可能なテーブルが、対応する保全性指標および資産特定情報について表示される。スマートフォン、タブレット・コンピュータ、および類似のデバイスは、通常、好適な表示システムを備える。また、表示技術は、今や、例えば図１および図３のヘッドセット２４ｂで示したレンズ構成のようなヘッド・マウンテッド型のディスプレイとしてヘッドセットに組み込まれることを許容する。
【００５０】
例示の実施形態では、特に保全性問題のレベルに関するような追加なアラートが、移動体通信デバイスによって出力される。移動体通信デバイスの出力デバイスは、更に、スピーカ５０（図２参照）を含んで、保全性問題の指示を強化する。例えば、赤色の視覚指標は、保全性問題の緊急性を強調するために、スピーカが出力する音声アラートによって達成してもよい。出力デバイスは、更に、触覚インジケータを含む。出力は、触覚インジケータによって出力される触覚フィードバックをアラート・システムの一部として含む。例示の触覚インジケータは、今や、スマートフォンや類似の通信デバイスに広く見られる振動発生器としてもよい。
【００５１】
例示の実施形態では、電子プロセッサは、更に、技術者が、判断した何れの資産保全性問題に対処するためのリコメンデーションを発生するように構成される。このようなリコメンデーションは何れも、保全性指標と連動してディスプレイに出力される。これに関連して、電子プロセッサは、自動的に、資産の交換を命令し、または他の好適な保守命令を発生する。更にまた、移動体通信デバイスの通常の入力機構（例えば、タッチ・スクリーン、キーボード、カーソル）を使用して、技術者は、資産に関係する情報を更新する。当該情報は、ネットワーク・サーバ上で追跡システム・データベースまたは実績データベースに格納される。電子プロセッサは、更に、例えばプログラムされた論理シナリオを使用することによって、資産の故障を防止する対策をリコメンドするように構成される。当該論理シナリオは対策の意思決定を許容する。論理シナリオは、サーバ・データベースに接続したサーバに格納される。
【００５２】
先の説明からも明らかなように、第１レベルの統合では、システムはセンサ・フリーであり、現時点の実績データは、主に、格納された追跡システム・データから導出される。第２レベルの統合では、システムは、センサ３０の存在および該センサ３０が発生するセンサ・データによって増強される。
【００５３】
先に言及したように、図１は、ＩＡＩＭＳ１０の一部として採用されるセンサ３０を示す。センサ３０ａのような特定のセンサは、より広い資産の位置（例えば、倉庫や船体等）についての状態を感知する位置センサである。代替では、他のセンサ３０は装置センサとしてもよい。装置センサは資産２０上または内部に直接設けられ、資産の直接的な動作状態およびステータスを感知する。センサは、気圧、温度、水分レベル、サイクル時間、オン・オフ時間、物理的摩耗、資産実績評価基準、および状態が時間と共に変化するもののようなパラメータを感知する。センサ３０はまた、基本電子機能を有し、センサが感知したデータをメモリに格納するのを許容する。或いは、更に処理またはストレージするために、ネットワーク・サーバのような外部電子デバイスに対して感知したデータを送信するのを許容にする。
【００５４】
送信機能がセンサに組み込まれる場合は、付加的な機能は、「アクティブ・タグ」に送信機能を提供することになる。スキャナによって近距離で読み取られなければならない通常のタグとは対照的に、アクティブ・タグは、移動体通信デバイスによってピック・アップすることができる資産特定情報を送信する。つまり、アクティブ・タグは、効率性の強化を資産特定に提供する。
【００５５】
例示の実施形態では、センサ・データは、センサから無線ネットワークを通じてネットワーク・サーバ３４まで送信される。ネットワーク・サーバ３４は、リアル・タイムおよび現時点の実績データを収容する実績データベースの一部として、センサ・データを格納する。センサ・データは、第１レベルの実績データを増強し、その結果、電子プロセッサが、各資産について、保全性問題の判断を強化して提供するのを許容する。
【００５６】
第３レベルの統合では、ＩＡＩＭＳ１０は、更に、中央通信コントローラ３２の使用を採用する。中央通信コントローラは、各種センサ３０からの組み合わされた情報を収集し、当該組み合わされた情報を、より中央化した手法で移動体通信デバイス２４に送信する通信ハブとして作動する。中央通信コントローラ３２は、同様に、ネットワーク・サーバと同様のコンピュータ・ベースのアーキテクチャを有してもよく、データベース構造と、サーバおよび移動体通信デバイスと通信を行う通信回路と、１つ以上のプロセッサ・デバイスと、を含む。
【００５７】
中心通信コントローラ３２のデータベース構造は、中央化したストレージ・コンポーネントを追跡システムおよびセンサ・データに提供する。このようにして、資産２０について必要な全ての情報は、無線インタフェースを通じた中央通信コントローラ３２を介して、移動体通信デバイス２４に供給される。ここでは、ユーザは、装置が有する個々のピースに直接的に従事する必要性は全くない。
【００５８】
ＩＡＩＭＳ１０は、多数の資産についての保全性問題を特定するために、「フレーミング」アルゴリズムに従って動作する。一般的に、フレーミング・アルゴリズムは、最初に、イングリティ問題おける広くて長いビューをユーザに提示する。次いで、ドリル・ダウン技術によって、これまで以上に正確なビューを提供する。
【００５９】
フレーミング技術は、第１フレームにおいて複数の資産を特定するステップと、第１フレームにおいて特定された複数の資産について、いずれかの保全性問題が存在するかを判断するステップと、第１フレームにおいて複数の資産について判断された保全性問題についての第１指標を移動体通信デバイスに出力するステップであって、当該第１指標が、第１フレームの資産における保全性問題についての一般化された指標である、ステップと、第２フレームにおいて少なくとも１つの資産を特定するステップであって、当該第２フレームが、第１フレームのサブセットであるより狭いフレームである、ステップと、何れかの保全性問題が第２フレームにおいて特定された少なくとも１つの資産について存在するかを判断するステップと、第２フレームにおいて少なくとも１つの資産について判断された保全性問題についての第２指標を移動体通信デバイスに出力するステップと、を含む。フレーミング・アルゴリズムはドリル・ダウン技術を採用することにより、これら上記ステップが、保全性問題が特定の資産または複数の資産について特定されるまで、連続的にフレームを狭めるように繰り返される。
【００６０】
例えば、ユーザは、多数の資産（例えば、船体や倉庫）を有する位置に立ち入る。最初に、インジケータは、その位置の内部に保全性問題が存在するかについて一般化された状態を示す。先に例示した緑色−黄色−赤色のインジケータ・システムでは、位置ごとに異なる色のシェードが移動体通信デバイス上に提示される。より緑色のシェードは、緊急性がより少なく小さい保全性問題を示し、黄色から赤色のシェードは、緊急性がより多く大きくなる保全性問題を示す。ドリル・ダウン技術において、ユーザはその位置を歩くか、或いは移動すると、より狭い(narrower and narrower)フレームが提示される。当該より狭いフレームは、より広い先行フレームのサブセットである。例えば、ユーザには、位置領域に関係する指標が提示され、次いで、領域内の資産のグループが提示され、次いで該グループ内の多数の構成部品の資産が提示される等となる。その結果、所与のフレームにとって好適な特定の保全性問題を特定することができる。
【００６１】
ユーザは、より広い位置に関するより狭いフレームに絞り込むので、より正確な視覚指標が移動体通信デバイスに提示される。例えば、ドリル・ダウン技術の結果、所与のより狭いフレームに対して緑色のスペクトルによりシェードした視覚指標となる場合、このような指標は、このようなフレームにおける資産がより少なくおよび／または緊急性のない資産保全性問題を有することをユーザに通知する。反対に、ドリル・ダウン技術の結果、所与のより狭いフレームに対して黄色または赤色のスペクトルによりシェードした視覚指標となる場合、このような指標は、このようなフレームにおける資産がより多くおよび／またはより緊急性がある資産保全性問題を有することをユーザに通知する。このようにして、ＩＡＩＭＳ１０は、ユーザが、資産保全性問題についてより正確に特定できることを導く。
【００６２】
このようなフレーミング・アルゴリズムは、如何なる統合レベルでも用いることができる。但し、フレーミング・アルゴリズムは、特に、中央通信コントローラ３２の使用と連携して使用するのに好適である。中央通信コントローラ３２においてローカルな資産情報をより中央化してストレージすることによって、ユーザが特定の資産と相互作用する必要性を中央通信コントローラが未然に回避する限りにおいて、フレーム情報の提示は、ユーザに対してより容易に提示可能とされる。つまり、ユーザがその位置を移動すると、中央通信コントローラは、資産保全性問題の正確な特定のために、より狭いフレームに関する資産情報を移動体通信デバイスに送信する。
【００６３】
したがって、説明される統合資産保全性管理システムは、従来の資産追跡システムを超える重大な利点を有するものとなる。説明されるシステムは、技術者が、トリガ・イベント（例えば、実際の故障、または特定の資産について予定していた一般的な点検）がなくても資産保全性問題を正確に特定するのを許容する。トリガ・イベントがなくても資産保全性問題を特定することにより、ダウンタイムは最小化され、或いは、従来の資産管理システムと比較して、保守がより効率的となる。
【００６４】
ＩＡＩＭＳの更なる特徴は、次のことを含む。例示の実施形態では、ＩＡＩＭＳは、ユーザ体験または役割の認知(awareness)を有する。該認知は、ユーザ体験レベルまたは役割に適応することにより、配信される情報と特定のユーザの状況との間の関係を管理する。例えば、プラントの保守技術者は、所与の構成部品のサービス技術者と比較して、異なるユーザ体験レベルまたはスコープを有することがある。つまり、情報は、特定のユーザ経験の性質またはレベルに合わせて調整されることになる。この例では、ＩＡＩＭＳは、資産保全性問題を診断することに関係する保守技術者の情報を供給する一方で、ＩＡＩＭＳは、保全性問題を修復することに関係するサービス情報を供給することができる。
【００６５】
ＩＡＩＭＳの別の特徴は、状況に応じた認知であり、該認知は、ユーザ活動と資産または構成部品の使用との間の関係を管理する。例えば、ＩＡＩＭＳは、シチュエーションに応じた状況（例えば、ロックアウト、タグアウト、シフト変化、および他の操作上の状況）に因り、資産または構成部品がいつ利用可能または利用不要となるかについてエンド・ユーザに通知する。
【００６６】
これに関係して、ＩＡＩＭＳは、他のシステムへのアクセスを駆動する関係を管理する付加的な操作認知(operational awareness)を有する。例えば、ＩＡＩＭＳは、異なるサポートまたは必要性の段(tier)に対し、問題の段階的拡大(escalation)を考慮する。責任要因(accountability factor)がまた、駆動判断時にＩＡＩＭＳによって考慮される。ＩＡＩＭＳは、更に、ユーザ・アクションに関連付けられることがある如何なる重複性または互換性も管理する対立認知(collision awareness)を有する。例えば、ＩＡＩＭＳは、コメント資産に対処するのに２人のユーザが同時に指名されないことを確実にする。或いは、システムは、コンフリクトしたアクションが異なるユーザによって採られることを確実にする。ＩＡＩＭＳは、更に、これらの様々な認知の態様に関連付けられる管理ツールを含み、システム実績を監視するためにＩＡＩＭＳにクエリを供給する。
【００６７】
従って、本発明の態様は、統合資産保全性管理システム（ＩＡＩＭＳ）である。例示の実施形態では、ＩＡＩＭＳは、対応する複数の資産に関連付けられる複数の資産情報識別子と、複数の資産情報識別子を読み取る読取デバイスを備える移動体通信デバイスと、移動体通信デバイスと電子通信を行うサーバと、を備える。サーバは、資産情報識別子に対応する追跡システム・データを含む追跡システム・データベースと、資産の実績(performance)に関係するデータを含む実績データベースとを有するデータベース構造を含む。移動体通信デバイスが、資産情報識別子から読み取られた資産情報をサーバに送信するように構成される。電子プロセッサは、読み取られた資産情報識別子に対応する資産を特定し、データベース構造内のデータに基づいて、読み取られた資産情報識別子に対応する何れの資産の資産保全性問題について判断(determine)するように構成される。出力デバイスは、判断された保全性問題に関連付けられる指標を出力するように構成される。
【００６８】
ＩＡＩＭＳの例示の実施形態では、資産情報識別子の各々が、資産に添付されるコード化されたタグを備え、読取デバイスが、コード化されたタグを読み取るように構成されるスキャナを備える。
【００６９】
ＩＡＩＭＳの例示の実施形態では、読取デバイスは、近距離通信を使用して、コード化されたタグを読み取る。
【００７０】
ＩＡＩＭＳの例示の実施形態では、資産情報識別子の各々が、資産に添付されることができる認識インジケータを含み、読取デバイスが撮像デバイスを備え、認識インジケータの画像をキャプチャして、認識指標に関連付けられた資産を特定するように構成される。
【００７１】
ＩＡＩＭＳの例示の実施形態では、読取デバイスは資産の画像をキャプチャするように構成され、電子プロセッサが、キャプチャされた画像に関連付けられた資産を特定するために、物体認識を実行するように構成される。
【００７２】
ＩＡＩＭＳの例示の実施形態では、移動体通信デバイスは、更に、該移動体通信デバイスの位置に関する位置データを発生する位置デバイスを備え、移動体通信デバイスは、位置データをサーバに送信するように構成され、電子プロセッサが、位置データに少なくとも部分的に基づいて、読み取られた資産情報識別子に対応する資産を特定する。
【００７３】
ＩＡＩＭＳの例示の実施形態では、電子プロセッサが移動体通信デバイス内に配置され、サーバが、読み取られた資産情報識別子に対応する資産についてのデータベース構造からのデータを移動体通信デバイスに送信するように構成される。
【００７４】
ＩＡＩＭＳの例示の実施形態では、電子プロセッサがサーバ内に配置され、サーバが、判断された保全性問題についての情報を移動体通信デバイスに送信するように構成される。
【００７５】
ＩＡＩＭＳの例示の実施形態では、出力デバイスが移動体通信デバイスのディスプレイを備え、上記指標が、ディスプレイ上に表示される視覚指標を含む。
【００７６】
ＩＡＩＭＳの例示の実施形態では、出力デバイスは、更に、移動体通信デバイスのスピーカを備え、上記指標が、更に、スピーカによって出力される音声指標を含む。
【００７７】
ＩＡＩＭＳの例示の実施形態では、出力デバイスは、更に、移動体通信デバイスの触覚インジケータを含み、上記指標が、更に、触覚インジケータによって出力される触覚フィードバックを含む。
【００７８】
ＩＡＩＭＳの例示の実施形態では、ＩＡＩＭＳは、更に、読み取られた資産情報識別子に対応する資産に関係する実績パラメータを感知する少なくとも１つのセンサを備え、実績データが、少なくとも１つのセンサによって収集されるセンサ・データを含む。
【００７９】
ＩＡＩＭＳの例示の実施形態では、少なくとも１つのセンサは、対応する資産についての１つ以上の動作パラメータを感知する装置センサを含む。
【００８０】
ＩＡＩＭＳの例示の実施形態では、１つ以上の動作パラメータが、気圧、温度、水分レベル、サイクル時間、オン・オフ時間、物理的摩耗、液体汚染または劣化、および実績評価基準の内少なくとも１つを含む。
【００８１】
ＩＡＩＭＳの例示の実施形態では、少なくとも１つのセンサは、読み取られた資産情報識別子に対応する資産の位置における環境状態を感知する位置センサを含む。
【００８２】
ＩＡＩＭＳの例示の実施形態では、センサ・データはサーバに送信され、実績データベースに格納される。
【００８３】
ＩＡＩＭＳの例示の実施では、ＩＡＩＭＳは、更に、移動体通信デバイスと無線通信を行う中央通信コントローラを備え、センサ・データが中央通信コントローラに送信され、センサ・データベースに格納される。
【００８４】
ＩＡＩＭＳの例示の実施形態では、実績データベースは老朽化データベースを含む。
【００８５】
ＩＡＩＭＳの例示の実施形態では、電子プロセッサは、更に、判断した資産保全性問題に対処するリコメンデーションを発生するように構成され、出力デバイスが、更に、リコメンデーションを出力するように構成される。
【００８６】
ＩＡＩＭＳの例示の実施形態では、電子プロセッサは、中央通信コントローラに少なくとも部分的に配置され、電子プロセッサは、更に、判断された資産保全性問題に対処するリコメンデーションを発生するように構成され、出力デバイスは、更に、リコメンデーションを出力するように構成される。
【００８７】
本発明の他の態様は、資産保全性問題を管理する方法である。例示の実施形態では、管理方法は、少なくとも１つの資産を特定するステップと、特定された少なくとも１つの資産についての追跡システム・データにアクセスするステップと、特定された少なくとも１つの資産についての実績データを受け取るステップと、何れかの保全性問題が特定された少なくとも１つの資産について存在するかを、アクセスおよび受け取ったデータに基づいて判断するステップと、判断された保全性問題についての情報を、移動体通信デバイスに出力するステップと、を含む。
【００８８】
管理方法の例示の実施形態では、本方法は、更に、判断された資産保全性問題に対処するためのリコメンデーションを発生するステップと、移動体通信デバイスにリコメンデーションを出力するステップと、を含む。
【００８９】
管理方法の例示の実施形態では、本方法は、更に、資産の故障を予防する対策を取るステップを更に含む。
【００９０】
管理方法の例示の実施形態では、本方法は、更に、第１フレームにおいて複数の資産を特定するステップと、何れかの保全性問題が第１フレームにおいて上記特定された複数の資産について存在するかを判断するステップと、第１フレームにおいて複数の資産について判断された保全性問題についての第１指標を移動体通信デバイスに出力するステップであって、当該第１指標が、第１フレームの資産における保全性問題についての一般化された指標である、ステップと、第２フレームにおいて少なくとも１つの資産を特定するステップであって、当該第２フレームが、第１フレームのサブセットであるより狭いフレームである、ステップと、何れかの保全性問題が第２フレームにおいて特定された少なくとも１つの資産について存在するかを判断するステップと、第２フレームにおいて少なくとも１つの資産について判断された保全性問題についての第２指標を移動体通信デバイスに出力するステップと、を含む。
【００９１】
管理方法の例示の実施形態では、本方法は、更に、ドリル・ダウン技術を実行することにより、請求項２４記載のステップが、保全性問題が特定の資産について特定されるまで、連続的にフレームを狭めるように繰り返される。
【００９２】
管理方法の例示の実施形態では、上記特定するステップが、コード化されたタグを資産に固定するステップと、移動体通信デバイスのスキャナを用いてコード化されたタグをスキャンするステップと、を含む。
【００９３】
管理方法の例示の実施形態では、上記特定するステップが、認識インジケータを資産に固定するステップと、認識インジケータに関連付けられる資産を特定するために、移動体通信デバイスの撮像デバイスを用いて認識インジケータの画像をキャプチャするステップと、を含む。
【００９４】
管理方法の例示の実施形態では、上記特定するステップが、移動体通信デバイスの撮像デバイスを用いて資産の画像をキャプチャするステップと、キャプチャされた画像に関連付けられる資産を特定するために物体認識を実行するステップと、を含む。
【００９５】
管理方法の例示の実施形態では、実績データは、特定された複数の資産に関係する実績パラメータを感知するための少なくとも１つのセンサによって収集されるセンサ・データを含む。
【００９６】
管理方法の例示の実施形態では、少なくとも１つのセンサは、対応する資産についての１つ以上の動作パラメータを感知する装置センサを含む。
【００９７】
管理方法の例示の実施形態では、１つ以上の動作パラメータは、気圧、温度、水分レベル、サイクル時間、オン・オフ時間、物理的摩耗、液体汚染または劣化、および実績評価基準の内少なくとも１つを含む。
【００９８】
管理方法の例示の実施形態では、少なくとも１つのセンサが、資産の位置における環境状態を感知する位置センサを含む。
【００９９】
管理方法の例示の実施形態では、実績データが老朽化データを含む。
【０１００】
本発明の別の態様は、実行可能なプログラム・コードを格納する非一時的コンピュータ可読媒体であり、電子デバイスによって実施されると、少なくとも１つの資産を特定するステップと、特定された少なくとも１つの資産についての追跡システム・データにアクセスするステップと、特定された少なくとも１つの資産についての実績データを受け取るステップと、何れかの保全性問題が特定された少なくとも１つの資産について存在するかを、アクセスおよび受け取ったデータに基づいて判断するステップと、判断された保全性問題についての情報を、移動体通信デバイスに出力するステップと、を実行するように構成される。
【０１０１】
非一時的コンピュータ可読媒体の例示の実施形態では、上記コードは、更に、判断された資産保全性問題に対処するためのリコメンデーションを発生するステップと、移動体通信デバイスにリコメンデーションを出力するステップと、を実行するように実施される。
【０１０２】
非一時的コンピュータ可読媒体の例示の実施形態では、上記コードは、更に、第１フレームにおいて複数の資産を特定するステップと、何れかの保全性問題が第１フレームにおいて特定された複数の資産について存在するかを判断するステップと、第１フレームにおいて複数の資産について判断された保全性問題についての第１指標を移動体通信デバイスに出力するステップであって、当該第１指標が、第１フレームの資産における保全性問題についての一般化された指標である、ステップと、第２フレームにおいて少なくとも１つの資産を特定するステップであって、当該第２フレームが、第１フレームのサブセットであるより狭いフレームである、ステップと、何れかの保全性問題が第２フレームにおいて特定された少なくとも１つの資産について存在するかを判断するステップと、第２フレームにおいて少なくとも１つの資産について判断された保全性問題についての第２指標を移動体通信デバイスに出力するステップと、を実行するように実施される。
【０１０３】
非一時的コンピュータ可読媒体の例示の実施形態では、上記コードは、更に、ドリル・ダウン技術を実行することにより、これらの上記ステップが、保全性問題が特定の資産について特定されるまで、連続的にフレームを狭めるように繰り返されるステップを実行するように実施される。
【０１０４】
本発明の別の態様は、移動体通信デバイスである。例示の実施形態では、移動体通信デバイスは電子プロセッサを含み、少なくとも１つの資産を特定するステップと、無線インタフェースを通じて、特定された少なくとも１つの資産についての追跡システム・データにアクセスするステップと、無線インタフェースを通じて、特定された少なくとも１つの資産についての実績データを受け取るステップと、何れかの保全性問題が特定された少なくとも１つの資産について存在するかを、アクセスおよび受け取ったデータに基づいて判断するステップと、を実行するように構成される。移動体通信デバイスは、更に、判断された保全性問題についての情報を出力する出力デバイスを含む。
【０１０５】
移動体通信デバイスの例示の実施形態では、電子プロセッサは、更に、判断した資産保全性問題に対処するリコメンデーションを発生するように構成され、出力デバイスが、リコメンデーションを出力する。
【０１０６】
移動体通信デバイスの例示の実施形態では、上記デバイスは、更に、資産に関連付けられる画像をキャプチャする撮像デバイスを備え、電子プロセッサが、キャプチャされた画像に基づいて少なくとも１つの資産を特定するように構成される。
【０１０７】
移動体通信デバイスの例示の実施形態では、出力デバイスはディスプレイを備え、判断された保全性問題についての情報がディスプレイ上に表示される。
【０１０８】
移動体通信デバイスの例示の実施形態では、出力デバイスは、更に、判断された保全性問題の音声指標を出力するスピーカを備える。
【０１０９】
移動体通信デバイスの例示の実施形態では、出力デバイスは、更に、触覚インジケータを備え、上記指標が更に、触覚インジケータによって出力される触覚フィードバックを備える。
【０１１０】
移動体通信デバイスの例示の実施形態では、電子プロセッサは、更に、資産に関係するデータを別の電子デバイスに送信するように構成される。
【０１１１】
本発明について、特定の１または複数の実施形態に関して図示および記載してきたが、当業者は、この明細書および添付の図面を読み、そして理解することに応じて、同等の変形および修正を思い浮かぶことになることは明らかである。特に、先に説明した要素（構成部品、アセンブリ、デバイス、合成物等）によって実行される様々な機能に関して、このような要素を説明するのに用いられる（「手段」への参照を含む）用語は、さもなければ明示されない限において、本明細書に示される本発明の例示の１または複数の実施形態における機能を実行する開示した構造と構造的に均等ではなくとも、説明した要素が有する特定の機能を実行する（即ち、機能的に均等な）如何なる要素にも対応することを意図する。加えて、本発明の特定の特徴について幾らかの例示の実施形態の内の１つ以上に関してのみ上述してきたが、このような特徴は、所与のまたは特定の適用について所望され有利となるのと同じように、他の実施形態が有する１つ以上の他の特徴とも組み合わせることができる。
【図１】
2018520416.tif 000003
【図２】
2018520416.tif 000004
【図３】
2018520416.tif 000005
【図４】
2018520416.tif 000006
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
統合資産保全性管理システム（ＩＡＩＭＳ）であって、
対応する複数の資産に関連付けられる複数の資産情報識別子と、
前記複数の資産情報識別子を読み取る読取デバイスを備える移動体通信デバイスと、
前記移動体通信デバイスと電子通信を行うサーバであって、前記資産情報識別子に対応する追跡システム・データを含む追跡システム・データベース、および前記資産の実績に関係するデータを含む実績データベースを有するデータベース構造を含む、サーバとを備え、前記移動体通信デバイスが、資産情報識別子から読み取られた資産情報を前記サーバに送信するように構成され、当該ＩＡＩＭＳが、
前記読み取られた資産情報識別子に対応する資産を特定し、前記データベース構造内のデータに基づいて、前記読み取られた資産情報識別子に対応する何れの前記資産の資産保全性問題を判断するように構成される電子プロセッサと、
前記判断された保全性問題に関連付けられる指標を出力するように構成される出力デバイスと、を備える、ＩＡＩＭＳ。
【請求項２】
請求項１記載のＩＡＩＭＳにおいて、
前記資産情報識別子の各々が、資産に添付されるコード化されたタグを備え、
前記読取デバイスが、前記コード化されたタグを読み取るように構成されるスキャナを備える、ＩＡＩＭＳ。
【請求項３】
請求項１記載のＩＡＩＭＳにおいて、
前記資産情報識別子の各々が、資産に添付される認識指標を含み、
前記読取デバイスが撮像デバイスを備え、前記認識指標に関連付けられた資産を特定するために、前記認識指標の画像をキャプチャするように構成される、ＩＡＩＭＳ。
【請求項４】
請求項１記載のＩＡＩＭＳにおいて、
前記読取デバイスが、資産の画像をキャプチャするように構成され、
前記電子プロセッサが、前記キャプチャされた画像に関連付けられた前記資産を特定するために、物体認識を実行するように構成される、ＩＡＩＭＳ。
【請求項５】
請求項１から４の何れか一項記載のＩＡＩＭＳにおいて、
前記移動体通信デバイスが、更に、該移動体通信デバイスの位置に関する位置データを発生する位置デバイスを備え、
前記移動体通信デバイスが、前記位置データを前記サーバに送信するように構成され、
前記電子プロセッサが、前記位置データに少なくとも部分的に基づいて、前記読み取られた資産情報識別子に対応する資産を特定する、ＩＡＩＭＳ。
【請求項６】
請求項１から５の何れか一項記載のＩＡＩＭＳであって、更に、前記読み取られた資産情報識別子に対応する前記資産に関係する実績パラメータを感知する少なくとも１つのセンサを備え、
前記実績データが、前記少なくとも１つのセンサによって収集されるセンサ・データを含む、ＩＡＩＭＳ。
【請求項７】
請求項６記載のＩＡＩＭＳにおいて、前記センサ・データが前記サーバに送信され、前記実績データベースに格納される、ＩＡＩＭＳ。
【請求項８】
請求項６または７記載のＩＡＩＭＳであって、更に、前記移動体通信デバイスと無線通信を行う中央通信コントローラを備え、前記センサ・データが前記中央通信コントローラに送信され、センサ・データベースに格納される、ＩＡＩＭＳ。
【請求項９】
前記実績データベースが老朽化データベースを含む、請求項１から８の何れか一項記載のＩＡＩＭＳ。
【請求項１０】
請求項１から９の何れか一項記載のＩＡＩＭＳにおいて、
前記電子プロセッサが、更に、前記判断した資産保全性問題に対処するリコメンデーションを発生するように構成され、
前記出力デバイスが、更に、前記リコメンデーションを出力するように構成される、ＩＡＩＭＳ。
【請求項１１】
資産保全性問題を管理する方法であって、
少なくとも１つの資産を特定するステップと、
前記特定された少なくとも１つの資産についての追跡システム・データにアクセスするステップと、
前記特定された少なくとも１つの資産についての実績データを受け取るステップと、
何れかの保全性問題が前記特定された少なくとも１つの資産について存在するかを、前記アクセスおよび前記受け取ったデータに基づいて判断するステップと、
判断された保全性問題についての情報を、移動体通信デバイスに出力するステップと、
を含む、方法。
【請求項１２】
請求項１１記載の方法であって、更に、
前記判断された資産保全性問題に対処するためのリコメンデーションを発生するステップと、
前記移動体通信デバイスに前記リコメンデーションを出力するステップと、
を含む、方法。
【請求項１３】
請求項１１または１２記載の方法であって、更に、
第１フレームにおいて複数の資産を特定するステップと、
何れかの保全性問題が前記第１フレームにおいて前記特定された複数の資産について存在するかを判断するステップと、
前記第１フレームにおいて前記複数の資産について判断された保全性問題についての第１指標を前記移動体通信デバイスに出力するステップであって、前記第１指標が、前記第１フレームの資産における保全性問題についての一般化された指標である、ステップと、
第２フレームにおいて少なくとも１つの資産を特定するステップであって、前記第２フレームが、前記第１フレームのサブセットであるより狭いフレームである、ステップと、
何れかの保全性問題が前記第２フレームにおいて前記特定された少なくとも１つの資産について存在するかを判断するステップと、
前記第２フレームにおいて少なくとも１つの資産について判断された保全性問題についての第２指標を前記移動体通信デバイスに出力するステップと、
を含む、方法。
【請求項１４】
請求項１３記載の方法であって、更に、ドリル・ダウン技術を実行することにより、請求項１３記載のステップが、保全性問題が特定の資産について特定されるまで、連続的にフレームを狭めるように繰り返される、方法。
【請求項１５】
請求項１１から１４の何れか一項記載の方法において、前記特定するステップが、コード化されたタグを資産に固定するステップと、前記移動体通信デバイスのスキャナを用いて前記コード化されたタグをスキャンするステップと、を含む、方法。
【請求項１６】
請求項１１から１５の何れか一項記載の方法において、前記特定するステップが、認識インジケータを資産に固定するステップと、前記認識インジケータに関連付けられる前記資産を特定するために、前記移動体通信デバイスの撮像デバイスを用いて前記認識インジケータの画像をキャプチャするステップと、を含む、方法。
【請求項１７】
請求項１１から１６の何れか一項記載の方法において、前記特定するステップが、前記移動体通信デバイスの撮像デバイスを用いて資産の画像をキャプチャするステップと、前記キャプチャされた画像に関連付けられる資産を特定するために物体認識を実行するステップと、を含む、方法。
【請求項１８】
請求項１１から１７の何れか一項記載の方法において、前記実績データが、前記特定された複数の資産に関係する実績パラメータを感知するための少なくとも１つのセンサによって収集されるセンサ・データを含む、方法。
【請求項１９】
前記実績データが老朽化データを含む、請求項１１から１８の何れか一項記載の方法。
【請求項２０】
実行可能なプログラム・コードを格納する非一時的コンピュータ可読媒体であって、電子デバイスによって実施されると、
少なくとも１つの資産を特定するステップと、
前記特定された少なくとも１つの資産についての追跡システム・データにアクセスするステップと、
前記特定された少なくとも１つの資産についての実績データを受け取るステップと、
何れかの保全性問題が前記特定された少なくとも１つの資産について存在するかを、前記アクセスおよび前記受け取ったデータに基づいて判断するステップと、
判断された保全性問題についての情報を、移動体通信デバイスに出力するステップと、
を実行するように構成される、非一時的コンピュータ可読媒体。
【国際調査報告】
2018520416.tif 000007
2018520416.tif 000008